(57)【要約】【課題】　書換え可能な光学式情報記憶媒体において、ランド／グルーブ記録方式とＣＬＶ方式を組み合わせる事で、最も高い記憶容量を実現する。【解決手段】情報を記録するためのトラックがスパイラル状に形成された情報記憶媒体において、前記トラックは複数のセットにより構成され、各セットは、第１アドレス領域２１を含む第１ブロックＡ及び第２アドレス領域２２を含む第２ブロックＢにより構成され、各セットは又、前記第１又は第２アドレス領域に形成され各セットの前記情報記録媒体上のアドレスを示すウォーブルアドレス領域２３を含み、前記ウォーブルアドレス領域２３はその長さが前記トラック全長の半分より少なくなるよう分散して配置され、前記ウォーブルアドレス領域は又、隣接トラック間で該ウォーブルアドレス領域が重ならないように、前記第１及び第２アドレス領域の一方に設けられている。【選択図】　　図７
2004006049.tif 000002
【特許請求の範囲】
【請求項１】
情報を記録するためのトラックがスパイラル状に形成された情報記憶媒体において、
　前記トラックは複数のセットにより構成され、
　各セットは、第１アドレス領域を含む第１ブロック及び第２アドレス領域を含む第２ブロックにより構成され、
　各セットは又、前記第１又は第２アドレス領域に形成され各セットの前記情報記録媒体上のアドレスを示すウォーブルアドレス領域を含み、
　前記ウォーブルアドレス領域はその長さが前記トラック全長の半分より少なくなるよう分散して配置され、
　前記ウォーブルアドレス領域は又、隣接トラック間で該ウォーブルアドレス領域が重ならないように、前記第１及び第２アドレス領域の一方に設けられていることを特徴とする情報記憶媒体。
【請求項２】
情報を記録するためのトラックがスパイラル状に形成され、前記トラックは複数のセットにより構成され、各セットは、第１アドレス領域を含む第１ブロック及び第２アドレス領域を含む第２ブロックにより構成され、各セットは、前記第１又は第２アドレス領域に形成されたウォーブルアドレス領域を含み、該ウォーブルアドレス領域は各セットの前記情報記録媒体上のアドレスを示し、前記ウォーブルアドレス領域は又、隣接トラック間で該ウォーブルアドレス領域が重ならないように、前記第１及び第２アドレス領域の一方に設けられている情報記憶媒体からアドレス情報を再生する再生方法であって、
　情報記憶媒体にレーザビームを照射して情報の再生を行い、再生信号を提供するステップと、
　前記再生信号からウォーブル信号を検出し、ウォーブル検出信号を提供するステップと、
　前記ウォールブル検出信号から、前記ウォーブルアドレス領域が示すアドレス情報を再生するステップと、
を具備することを特徴とする情報再生方法。
【請求項３】
情報を記録するためのトラックがスパイラル状に形成され、前記トラックは複数のセットにより構成され、各セットは、第１アドレス領域を含む第１ブロック及び第２アドレス領域を含む第２ブロックにより構成され、各セットは、前記第１又は第２アドレス領域に形成されたウォーブルアドレス領域を含み、該ウォーブルアドレス領域は各セットの前記情報記録媒体上のアドレスを示し、前記ウォーブルアドレス領域は又、隣接トラック間で該ウォーブルアドレス領域が重ならないように、前記第１及び第２アドレス領域の一方に設けられている情報記憶媒体からアドレス情報を再生する再生装置であって、
　情報記憶媒体にレーザビームを照射して情報の再生を行い、再生信号を提供する手段と、
　前記再生信号からウォーブル信号を検出し、ウォーブル検出信号を提供する手段と、
　前記ウォールブル検出信号から、前記ウォーブルアドレス領域が示すアドレス情報を再生する手段と、
を具備することを特徴とする情報再生装置。
【請求項４】
情報を記録するためのトラックがスパイラル状に形成され、前記トラックは複数のセットにより構成され、各セットは、第１アドレス領域を含む第１ブロック及び第２アドレス領域を含む第２ブロックにより構成され、各セットは、前記第１又は第２アドレス領域に形成されたウォーブルアドレス領域を含み、該ウォーブルアドレス領域は各セットの前記情報記録媒体上のアドレスを示し、前記ウォーブルアドレス領域は、隣接トラック間で該ウォーブルアドレス領域が重ならないように、前記第１及び第２アドレス領域の一方に設けられている情報記憶媒体に情報を記録する方法であって、
　前記情報記憶媒体にレーザビームを照射し、その反射光から再生信号を提供するステップと、
　前記再生信号からウォーブル信号を検出し、ウォーブル検出信号を提供するステップと、
　前記ウォールブル検出信号から、前記ウォーブルアドレス領域が示すアドレス情報を解読するステップと、
　前記解読されたアドレス情報に基づいて、前記イングルーブ及びオングルーブの所望位置に情報を記録するステップを具備することを特徴とする情報記録方法。
【請求項５】
情報を記録するためのトラックがスパイラル状に形成され、前記トラックは複数のセットにより構成され、各セットは、第１アドレス領域を含む第１ブロック及び第２アドレス領域を含む第２ブロックにより構成され、各セットは、前記第１又は第２アドレス領域に形成されたウォーブルアドレス領域を含み、該ウォーブルアドレス領域は各セットの前記情報記録媒体上のアドレスを示し、前記ウォーブルアドレス領域は、隣接トラック間で該ウォーブルアドレス領域が重ならないように、前記第１及び第２アドレス領域の一方に設けられている情報記憶媒体に情報を記録する装置であって、
　前記情報記憶媒体にレーザビームを照射し、その反射光から再生信号を提供する手段と、
　前記再生信号からウォーブル信号を検出し、ウォーブル検出信号を提供する手段と、
　前記ウォールブル検出信号から、前記ウォーブルアドレス領域が示すアドレス情報を解読する手段と、
　前記解読されたアドレス情報に基づいて、前記イングルーブ及びオングルーブの所望位置に情報を記録する手段を具備することを特徴とする情報記録方法。
【発明の詳細な説明】
【技術分野】
【０００１】
　本発明は、ＤＶＤ−ＲＡＭ等の記録可能な光学式情報記憶媒体におけるウォーブル変調方式及びＣＬＶ(Constant Linear Velocity)対応記録フォーマットに関する。
【背景技術】
【０００２】
　現行ＤＶＤ−ＲＡＭ規格では記録密度向上を目指し、スパイラル状に形成されたランド(Land)部とグルーブ(Groove)部の両トラックに記録マークを記録するＬ／Ｇ (Land and Groove)記録方式を採用している。
【発明の開示】
【発明が解決しようとする課題】
【０００３】
　現行ＤＶＤ−ＲＡＭ規格では、「ランド部とグルーブ部の記録条件（記録パワーや記録パルス条件）を一致させる」と言う事を基本ポリシーにしていた。従ってランド部の幅とグルーブ部の幅を一致させたり、ランド部とグルーブ部のウォーブル条件を一致させるため、ＺＣＬＶ(Zoned Constant Linear Velocity)の方式を採用せざるを得なかった。このＺＣＬＶ方式では、光ディスク上の記録領域がドーナツ状の複数のゾーンに分割され、各ゾーンにおいて回転速度は一定であり、ディスク外側の領域ほど回転速度が低くなる。
【０００４】
　又、ランド部とグルーブ部の境界は波型に形成され、この波型の境界をウォーブルという。このウォーブルから得られるウォーブル信号は、光ディスクを回転するスピンドルモータの回転速度を制御したり、光ディスクからのアナログ再生信号をサンプリングしてデジタル信号に変換する際のサンプリングクロック信号の生成に用いることができる。又、光ディスクのセクターアドレスを、このウォーブルを用いて記録することができる。
【０００５】
　ＺＣＬＶ方式において、同一ゾーン内では、隣り合うウォーブルは同期しており（即ちトラック接線方向にずれておらず）、ディスク外側ほどウォーブルの波長（機械的サイズ）が長く、ウォーブルを光ピックアップにより光学的にトレースして得られるウォーブル信号の波長は一定である。
【０００６】
　光ディスクの記録方法として完全なＣＬＶ(Constant Linear Velocity)方式を採用した方が、ＺＣＬＶ方式を採用するより記憶容量を向上させる事が出来る。しかし、ＣＬＶ方式を採用した場合にはランド部とグルーブ部でのウォーブルが同期しない、と言う問題が生じる。
【０００７】
　本発明は上記問題点を鑑みてなされたものであり、記録可能な光学式情報記憶媒体に於いてＬ／Ｇ記録方式とＣＬＶ方式を組み合わせる事で、最も高い記憶容量を実現する情報記憶媒体もしくは情報記録再生装置を提供する事を目的とする。
【課題を解決するための手段】
【０００８】
　上記目的を達成するために本発明の一実施形態に係る情報記憶媒体は、情報を記録するためのトラックがスパイラル状に形成された情報記憶媒体において、前記トラックは複数のセットにより構成され、各セットは、第１アドレス領域を含む第１ブロック及び第２アドレス領域を含む第２ブロックにより構成され、各セットは又、前記第１又は第２アドレス領域に形成され各セットの前記情報記録媒体上のアドレスを示すウォーブルアドレス領域を含み、前記ウォーブルアドレス領域はその長さが前記トラック全長の半分より少なくなるよう分散して配置され、前記ウォーブルアドレスは又、隣接トラック間で該ウォーブルアドレス領域が重ならないように、前記第１及び第２アドレス領域の一方に設けられている。
【発明の効果】
【０００９】
　以上説明したように本発明によれば、ランド／グルーブ（オングルーブ／イングルーブ）記録とＣＬＶ記録を同時に達成し、ランド及びブルーブともに安定した記録マークの形成と記録マークからの再生が可能となる。
【発明を実施するための最良の形態】
【００１０】
　以下、図面を参照しながら本実施例について説明する。
【００１１】
　図１（ａ）は本発明における書換え可能情報記憶媒体（光ディスク）１の正面図（上から見た図）、図１（ｂ）は図１（ａ）の部分拡大図、図１（ｃ）は情報記憶媒体１の部分拡大断面図である。図１（ｃ）に示すように情報記憶媒体１は、厚みが１．０〜１．２ｍｍの支持基板１１の上に記録層１２が形成され、その上に厚みが２５〜３００μｍの透明保護層１３が形成され、透明保護層１３を経由してレーザー光１４が記録層１２上に照射される構造を有している。レーザー光１４は対物レンズ１５を介して情報記憶媒体１に照射する。
【００１２】
　本発明ではランドグルーブ記録においてレーザー光１４から見た凹部（溝部分）をイングルーブ部２、凸部（土手部）をオングルーブ部３と呼び、イングルーブ部２とオングルーブ部３の境界の壁面を壁部４と定義する。
【００１３】
　ベクトル場解析によると記録膜１２上に照射されるレーザー光１４の実質的集光スポットサイズを見るとイングルーブ部２上に照射される集光スポットサイズは相対的に広がり、オングルーブ部３上に照射される集光スポットサイズは相対的に狭まる特徴が有る。
【００１４】
　その結果、イングルーブ部２に記録された記録マーク５からの再生信号の解像度は相対的に低いため、イングルーブ部２に記録された記録マーク５からの再生信号の信頼度が低い。更に、イングルーブ部２に記録マーク５を形成するときに、隣接するオングルーブ部３上に既に記録されている記録マーク５を消去するクロスイレーズ現象が発生しやすい。
【００１５】
　又、オングルーブ部３に記録された記録マーク５からの再生信号の解像度は相対的に高いため、オングルーブ部３に記録された記録マーク５からの再生信号の信頼度が高い。更に、オングルーブ部３に記録マーク５を形成するときに、隣接するイングルーブ部３上に既に記録されている記録マーク５を消去するクロスイレーズ現象が発生し辛い。
【００１６】
　このベクトル場解析結果を活用して情報記憶媒体の大容量化を目指した記録方法に本発明の大きな特徴がある。
【００１７】
　図１に示すように相対的に記録マーク５からの再生信号の信頼度が低いイングルーブ部２において、その両側の壁部４が左右同期してウォーブル（蛇行）させるように設定する。すなわちイングルーブ部２の両側のウォーブル２ａ及び２ｂが、情報記憶媒体１の円周方向（図中では上下方向）に互いにずれていない。本実施例においては大容量化を目指してＣＬＶ方式を採用し、ウォーブルから得られるウォーブル信号の周波数はディスク全面において一定である。
【００１８】
　単にＣＬＶ方式を採用した場合、イングルーブ部及びオングルーブ部でウォーブルが同期しなくなる。その結果、イングルーブ部２及びオングルーブ部３の幅が場所により変化し、その幅変化により生じる再生信号光量変化が記録マーク５からの再生信号へ漏れ込み、記録マーク５からの再生信号特性を劣化させる現象が生じる。
【００１９】
　この信号は後述の図３に示す記録再生装置における同期コード位置検出部４５と復調回路５２へ転送されるため、同期コード位置検出部４５と復調回路５２の処理性能が低下する。この弊害を除去するため本実施例では、ベクトル場解析結果で得られた“再生信号の信頼度が高い”オングルーブ部３で両側の壁部４のウォーブル位置がずれてくるように配置している。
【００２０】
　次に本発明に係る情報記録再生装置について説明する。
【００２１】
　図２は情報記録再生装置において、特に記録系に関する部分のブロックを示している。記録用メインデータ（ソースデータまたはユーザデータ）は、インターフェース部４２を介して、所定情報付加部６８に送られる。この所定情報付加部６８において、ソースデータはセクタ単位に細分化される。
【００２２】
　記録に用いる媒体が書替可能情報記憶媒体である場合は、この所定情報付加部６８において、メインデータ部分の前に、そのセクタのデータＩＤ、ＩＥＤ、データタイプ、プリセットデータおよび予約エリアが付加され、メインデータ部分の後にＥＤＣが付加される。このとき付加されるデータＩＤはデータＩＤ発生部６５から得られ、プリセットデータはプリセットデータ発生部６６から得られる。
【００２３】
　一方、記録に用いる媒体が再生専用情報記憶媒体である場合は、所定情報付加部６８において、メインデータ部分の前に、そのセクタのデータＩＤ、ＩＥＤおよび著作権管理情報が付加され、メインデータ部分の後にＥＤＣが付加される。このとき付加されるデータＩＤはデータＩＤ発生部６５から得られ、著作権管理情報は著作権管理情報のデータ発生部６７から得られる。
【００２４】
　所定情報付加部６８において生成されたセクタデータは、データ配置部分交換部（或はデータ抽出部）６３に送られる。データ配置部分交換部６３では、送られてきたセクタデータの特定データを抽出する。
【００２５】
　抽出された特定データと全体のセクタデータは、スクランブル回路５７に送られる。スクランブル回路５７は、セクタ先頭からセクタ末尾までのセクタ全体に対して、スクランブル処理を施す。
【００２６】
　こうしてスクランブル処理されたセクタデータは、順次ＥＣＣエンコーディング回路６１に送られる。ＥＣＣエンコーディング回路６１では、送られてきたセクタデータを所定個数（例えば１６セクタ分ないし３２セクタ分）単位でＥＣＣエンコーディングする。
【００２７】
　ＥＣＣエンコーディングされたデータは変調回路５１に送られる。変調回路５１は、変調用変換テーブル記録部５３から必要な情報を得ながら、送られてきたデータに所定の変調（例えば８／１６変調など、変調はこの方式に限るものではない）を施す。変調されたデータは、データ合成部４４に送られる。
【００２８】
　データ合成部４４に送られた変調後のデータのうち、各セクタの末尾部分の変調データ（例えば６チャンネルビット）に対して、そのデジタル・サム・バリュー（ＤＳＶ）の値が、ＤＳＶ値計算部４８で計算される。計算されたＤＳＶ値は、同期コード選択部４６に送られる。
【００２９】
　同期コード選択部４６は、ＤＳＶ値計算部４８で計算されたＤＳＶ値と、プリセットデータ発生部６６からの下位ｎビットデータまたは著作権管理情報のデータ発生部６７からの下位ｎビットデータとに基づいて、同期コード選択テーブル記録部４７に記録されている多種類の同期コードテーブルから、特定の（最適な）同期コードを選択する。
【００３０】
　同期コード選択部４６により同期コード選択テーブル記録部４７から選択された同期コードテーブル中の同期コードは、データ合成部４４において、変調回路５１からの変調データと、交互に配置される。
【００３１】
　こうして構成されたデータが書替可能情報記憶媒体（相変化記録方式を採用するＲＡＭディスク、ＲＷディスクなど）に情報記録再生部４１を介して書き込まれる。情報記録再生部４１は光ピックアップを含み、情報記憶媒体にレーザビームを照射して情報の記録、すなわち記録マークの形成を行う。
【００３２】
　一方、合成されたデータが再生専用情報記憶媒体用である場合は、そのデータは、
　（ａ）ＲＯＭディスクの原盤記録部によりＲＯＭディスク複製用の原盤にカッティングされるか、又は
　（ｂ）情報記録再生部４１により、再生専用となるＲディスク（書き込みレーザ照射部分の反射率が永久変化する色素を利用したディスクなど）に焼き込まれる。
【００３３】
　上記の装置の各ブロック要素の動作は、制御部４３内のＲＯＭに書き込まれた制御プログラムに従い、その中のＲＡＭをワークエリアに用いて、その中のＭＰＵにより、制御されるようになっている。
【００３４】
　図３は情報記録再生装置において、特に書替可能情報記憶媒体または再生専用情報記憶媒体に対して情報の再生を行う再生系の構成を説明するブロック図である。
【００３５】
　情報記録再生部４１は情報記憶媒体にレーザビームを照射して情報の再生を行う。ウォーブル信号復調回路５０は情報記録再生部４１から入力される再生信号からウォーブル信号を復調する。スピンドルモータ回転制御回路６０はウォーブル信号復調回路５０から入力されるウォーブル信号に基づいて、光ディスクを回転するスピンドルモータ（図示されず）の回転速度を制御する。
【００３６】
　同期コード位置抽出部４５は、光ディスク上に記録された各セクタ先頭の同期コードを検出する。復調回路５２は、同期コード位置抽出部４５からの同期コードの情報により、再生部４１からの再生データのセクタ先頭位置を知るとともに、そのセクタ内の同期コード位置も知ることができる。復調回路５２内では、同期コード位置抽出部４５からの同期コード情報により、セクタ内に含まれる同期コードが削除される。そして、削除後にセクタ内に残ったデータ（これらは８／１６変調されている）は、復調用変換テーブル記録部５４からの復調情報に基づいて復調される。
【００３７】
　デスクランブル回路５８は、スクランブルされたデータのうち、まず、データＩＤ，ＩＥＤ部分をデスクランブルする。デスクランブルされたデータＩＤ、ＩＥＤは、データＩＤ部＆ＩＥＤ部抽出部７１で抽出される。データＩＤ部＆ＩＥＤ部抽出部７１は、データＩＤ、ＩＥＤを制御部４３に送る。制御部４３は、順次得られるデータＩＤを監視している。デスクランブルされたデータの内容により、制御部４３はトラック外れ検出を行うことができる。トラック外れが合ったことが検出された場合、短期間内に再度、情報の読み取りを行なうことができる。
【００３８】
　復調回路５２で復調されたデータは、ＥＣＣデコーディング回路６２にも送られている。ＥＣＣデコーディング回路６２は、所定個数（１６個あるいは３２個など）分のセクタを１つのＥＣＣブロックにまとめ、ＥＣＣエンコーディングされたデータをＥＣＣデコーディングしてから、デスクランブル回路５８、５９に送っている。
【００３９】
　デスクランブル回路５９ではメインデータ部全体のデスクランブルを実行する。デスクランブル処理後のデータは、データ配置部分交換部６４に送られる。データ配置部分交換部６４は、送られてきたデスクランブル処理後のデータの中の特定データをデータＩＤ部＆ＩＥＤ部抽出部７１に送る。
【００４０】
　デスクランブル処理されたデータの中のデータＩＤ、ＩＥＤはデータＩＤ部＆ＩＥＤ部抽出部７１により検出され、エラーチェック後のデータＩＤが抽出される。DataID部のエラーチック部７２では、DataIDにエラーがないかチェックし、エラーがある場合には、ＥＣＣデコーディング回路１６２でエラーが訂正される。また、得られた各セクタデータの先頭位置から一定長後のメインデータはメインデータ抽出部７３により抽出され、インターフェイス部４２を介して、外部に出力される。
【００４１】
　図４は図２及び３に示す記録再生装置に適用される情報記録方法の第１の実施例を示すを示すフローチャートである。情報記憶媒体１上に主にＡＶ(Audio Video)情報を記録する場合、ＰＣ情報ほど頻繁な書き換えを行わない。その特徴を利用し、図２及び３に示す本発明の情報記録再生装置では、次に示すように情報記憶媒体１に情報を記録する。情報記憶媒体１は情報を記録するためのデータ領域と該データ領域に記録された情報を管理するための管理領域を有する。映像データ等のコンテンツはデータ領域に記録される。この処理の管理は図２及び３の制御部４３が全て担う。
【００４２】
　１．基本的には未記録領域へ順次記録する
　２．ユーザーが既記録情報の書き換えを指示した場合にも、書き換える対象の情報を未記録領域へ記録し、以前に記録された情報もそのまま残し、管理情報上でユーザーへの表示を禁止処理する
　３．情報記憶媒体１上の全面に記録が完了した後、初めてユーザーへの表示を禁止した領域へ新たにユーザーが記録指定した情報を上書きする。
【００４３】
　即ち図４のＳＴ１０１のように、ユーザから情報記録指示があると、先ずディスク内側のイングルーブ部から追記を行う。ユーザからファイルの削除指示があった場合は、情報記憶媒体１の管理情報上で当該ファイルのユーザーへの表示を禁止処理し、データ領域内に記録された当該ファイルの削除はしない。ユーザからファイルの書換え指示があった場合も、上書きは行わずに管理情報上で当該ファイルのユーザーへの表示を禁止処理し、未記録領域への追記を実行する。
【００４４】
　イングルーブ部への追記が完了すると（ステップＳＴ１０３でＹＥＳの場合）、オングルーブ部へ追記を行う（ＳＴ１０４）。この場合も、ユーザからファイルの削除指示あるいは書換え指示があったときは、情報記憶媒体１の管理情報上でユーザーへの表示を禁止処理し、追記を実行する。
【００４５】
　オングルーブ部への追記が完了すると（ステップＳＴ１０５でＹＥＳの場合）、イングルーブ又はオンブルーブ部においてユーザにより削除指示あるいは書換え指示されたファイルの領域に、情報を上書きする。
【００４６】
　上記記録方法により、ディスク内側のイングルーブへの書き込み回数が減り、ディスク内側の記録層の劣化を防ぐことができる。
【００４７】
　図５（ａ）は情報記憶媒体１の途中までイングルーブ部のみの記録を行った時を示し、最内周から半径ｒまでがイングルーブ部のみの既記録領域７を示し、半径ｒから最外周までが未記録領域６となっている。図５（ｂ）は図５（ａ）半径ｒ位置の一部拡大図を示した図で、イングルーブ部２の途中まで記録マーク５が形成されている。図５（ｃ）はイングルーブ部２内は全域記録完了後、オングルーブ部３への記録を開始した図を示す。最内周から半径ｒまでがイングルーブ部とオングルーブ部両方に対する既記録領域９となり、半径ｒから最外周までがイングルーブ部のみの既記録領域８になる。図５（ｄ）は図５（ｃ）の半径ｒ位置の一部拡大図を示した図で、オングルーブ部３の途中まで記録マーク５が形成され、イングルーブ２に関しては全面記録マーク５が記録されている。
【００４８】
　図６は図２及び３に示す記録再生装置に適用される情報記録方法の第２の実施例を示すを示すフローチャートである。
【００４９】
　この方法では、ステップＳＴ２０１〜ＳＴ２０３のように、始めに記憶媒体上のイングルーブ２全域に情報を追記（記録マーク５を形成）した後、ステップＳＴ２０４及びＳＴ２０５のように、ユーザが削除あるいは書換えを指示したイングルーブ２のファイル領域への上書きを行う。このようにしてイングルーブ２上の記録が完全に完了した後、ステップＳＴ２０６〜ＳＴ２０８のように、オングルーブ部３への記録を行う。
【００５０】
　前述したようにベクトル場解析結果としてイングルーブ部２に記録する時にオングルーブ部３のクロスイレーズ現象が発生しやすいので、先にイングルーブ部２に記録し（この場合にはオングルーブ部３には記録マーク５が未形成状態なのでクロスイレーズの問題は発生しない）、イングルーブ部２への記録が完了した後、初めてオングルーブ部３への記録を開始する。オングルーブ部３へ記録する場合には、イングルーブ部２のクロスイレーズ現象が比較的発生し辛いので、オングルーブ部３への記録マーク５形成時のイングルーブ部２に既に記録された記録マーク５への不必要な消去（クロスイレーズ）が発生し辛い。従って本実施例によれば、ランド（オングルーブ）／グルーブ（イングルーブ）記録におけるクロスイレーズの影響を軽減でき、ＣＬＶ方式によりトラックピッチを詰める事が可能なため、情報記憶媒体の記録容量の向上が図れる。
【００５１】
　本発明の他の実施例として、イングルーブ部２内に形成した左右の壁部４で同期して変化するウォーブル信号を、情報記憶媒体１上のアドレス情報として活用する方法について図７、図８を参照して説明する。
【００５２】
　ウォーブル形状によるアドレス情報の記録形式としてＦＳＫ (Frequency Shift Keying：周波数変化により”１”、”０”の情報を乗せる) 方式を採用している。ＦＳＫに用いられる周波数をｆ１及びｆ２とすると、ｆ１及びｆ２の周波数を有するウォーブルがウォーブルアドレス領域（後述される）に形成される。ウォーブルアドレス領域と次のウォーブルアドレス領域の間の壁部には、ｆ１及びｆ２より遥かに低いｆ３の周波数を有するウォーブルが形成される。しかし、以下の実施例では説明を簡単にするため、ウォーブルアドレス領域と次のウォーブルアドレス領域の間の壁部は直線として説明する。
【００５３】
　図７のイングルーブ部２に注目すると、イングルーブ部２の左右の壁部４の多くはウォーブルせず直線になっているが、オッド領域２１部分では左右の壁部４が同期してウォーブル（蛇行）している。
【００５４】
　一般にＤＶＤ−ＲＡＭ等の書換え可能光ディスクに設けられるウォーブルには、図７に示すように、例えば１セクタのようなサイズが１セットとして定義され、各セットはブロックＡ及びブロックＢを含み、各ブロックの前半の領域がアドレス領域として用いられる。ブロックＡのアドレス領域はオッド領域２１、ブロックＢのアドレス領域はイーブン領域２２と定義されている。情報記憶媒体１の円周に沿ったトラック全長に対するこのオッド領域２１のトータル長さ比は１／４となり、イーブン領域２２のトータル長さ比も１／４となっている。
【００５５】
　図１（ｃ）に示すように記録層１２で反射し、対物レンズ１５を通過するレーザー光１４の全光量変化を検出して記録マーク５からの再生信号が検出される。それに対して記録層１２で反射し、対物レンズを通過するレーザー光１４のうち、一点鎖線で示した対物レンズ光軸の図中右側を通過するレーザー光１４の全光量と対物レンズ光軸の左側を通過するレーザー光量１４の全光量との間の差を演算してこのウォーブル検出信号を得る。このようにして得られたウォーブル検出信号は図３のウォーブル信号復調回路５０にて信号処理され、情報記憶媒体１上のアドレス情報として解読される。このウォーブル検出信号は、例えば図７に示したオッド領域２１内のイングルーブ部２左右壁面４のウォーブル形状とほぼ同じ波形が得られる。
【００５６】
　情報記憶媒体１の記録膜１２上に集光する集光スポットがイングルーブ部２上をトレースしている場合には、図７ではオッド領域２１内のウォーブル信号を検出してウォーブル信号復調回路５０にてアドレス情報を検出する。集光スポットがオングルーブ部３上をトレーズしている場合には、隣接する（内周側の）イングルーブ部２の壁部４のウォーブル部を通過するときに得られるウォーブル信号を検出してアドレス情報を検出する。オングルーブ部３上をトレースするときに得られる隣接する（内周側の）イングルーブ部２からのウォーブル検出信号と、イングルーブ部２上をトレースしたときに、オッド領域２１から得られるウォーブル検出信号は基本的に同一波形が得られる。
【００５７】
　図３に図示してないが集光スポットがイングルーブ部２またはオングルーブ部３を安定にトレースするためにトラックずれ検出信号が得られている。このトラックずれ検出信号はイングルーブ部２上をトレーズしている時とオングルーブ部３上をトレースしている時で逆極性のトラックずれ検出信号が得られる。このトラックずれ検出信号の極性を検出することでウォーブル検出信号がイングルーブ部２上のアドレス情報を示すかオングルーブ部３上のアドレス情報を示すかの判定を制御部４３で行っている。
【００５８】
　先に本発明ではイングルーブ部２上に記録した後、オングルーブ部３上に記録する事を説明した。本実施例ではこの記録順に合わせたアドレス番号の設定順が決められる。すなわちオッド領域２１で得られるウォーブル信号から検出されたイングルーブ部２のアドレス番号が“ｉ”だったとすると、その外周側のオングルーブ部３でのアドレス番号としても“ｉ”が検出される。なぜなら、オングルーブ部３上をトレースした時に内周側に隣接するイングルーブ部２の壁面４のウォーブル信号からアドレス番号が得られるからである。情報記憶媒体１の最外周でのイングルーブ部２の最終アドレス番号を“ｊ”とすると、制御部４３は、以下のようにオングルーブのアドレスを算出する。
【００５９】
　　　　　“ｊ＋ｉ”
　すなわち制御部４３は、イングルーブ部２では検出されたウォーブル信号から直接アドレス番号を算出するが、オングルーブ部３上をトレースしている場合のアドレス番号としてはウォーブル信号から直接検出されるアドレス情報に最外周でのイングルーブ部２のアドレス番号“ｊ”を加算してアドレス番号を算出する。
【００６０】
　以上イングルーブ部２上に情報を記録した後、オングルーブ部３上に記録する事を説明した。しかし本発明の特徴はランド（オングルーブ）領域とグルーブ（イングルーブ）領域のいずれか一方を先に記録し、そちら側の記録が完了した後、他方の領域に記録を開始する所に有る。従って他の実施例としてオングルーブ部３上に記録した後、イングルーブ部２上に記録する方法も本発明の範囲内にある。
【００６１】
　次に本発明による情報記憶媒体の他の実施例を説明する。
【００６２】
　オングルーブ部３上をトレーズしている時、安定にウォーブル信号を検出するには、オングルーブ部３の片方（右か左か）の壁面がウォーブルしている場合には必ず他方の壁面は直線な状態で有る必要性が有る。本発明のように完全なＣＬＶ方式で記録している場合、情報記憶媒体１の半径位置によっては図８（ａ）のようにオングルーブ部３の左右の壁面が同時にウォーブルする場合が発生する。この現象を回避するため、本実施例では図８（ｂ）に示すように、ウォーブル場所をオッド領域２１からイーブン領域２２へ移動させる。つまり、イングルーブ部２のみを見た場合、イングルーブ部２の１ライン置きにウォーブルをオッド領域２１とイーブン領域２２に交互に配置している。すなわち本実施例に係る情報記憶媒体は、オッド領域にウォーブルアドレスが記録されたイングルーブのオングルーブを隔てて隣のイングルーブは、前記イーブン領域にウォーブルアドレスが記録されている。
【００６３】
　次に本発明による情報記憶媒体の更に他の実施例を説明する。
【００６４】
　図７ではオングルーブ部３上のトレース中にアドレス情報を読む方法は、片側のイングルーブ領域２の壁部のウォーブルを検出している。図９は本実施例に係る情報記憶媒体のウォーブル構成を示す。図９に示すようにイングルーブ部２のウォーブルアドレス領域２３ａとオングルーブ部３を隔てて隣のイングルーブ部２の片側のみの壁面を同期させてウォーブルさせる。すなわち本実施例に係る情報記憶媒体は、ウォーブルアドレス領域２３のイングルーブ部２両側に隣接する２つのオングルーブ部３の一方は、該アドレス領域２３においてイングルーブ部と同様に同期構造を有している。このように、オングルーブ領域のウォーブルアドレス領域２３ｃでは、オングルーブ部３の左右の壁面が同期してウォーブルする構造になっているため、オングルーブ部３でのウォーブル検出信号によるアドレス情報の検出安定性と検出信頼性が大幅に向上し、アドレス情報の再生精度が高くなる。
【図面の簡単な説明】
【００６５】
【図１】本発明による情報記憶媒体のイングルーブ部及びオングルーブ部の構成を示す図。
【図２】本発明に係る情報記録再生装置の記録系の構成を示すブロック。
【図３】本発明に係る情報記録再生装置の再生系の構成を示すブロック。
【図４】図２及び図３に示す記録再生装置に適用される情報記録方法の第１の実施例を示すを示すフローチャート。
【図５】本発明に係る記録方法を説明するための図。
【図６】図２及び３に示す記録再生装置に適用される情報記録方法の第２の実施例を示すを示すフローチャート。
【図７】本発明によるウォーブルアドレス構造の第1の実施例。
【図８】本発明によるウォーブルアドレス構造の第２の実施例。
【図９】本発明によるウォーブルアドレス構造の第３の実施例。
【図１】
2004006049.tif 000003
【図２】
2004006049.tif 000004
【図３】
2004006049.tif 000005
【図４】
2004006049.tif 000006
【図５】
2004006049.tif 000007
【図６】
2004006049.tif 000008
【図７】
2004006049.tif 000009
【図８】
2004006049.tif 000010
【図９】
2004006049.tif 000011